(57)【要約】ＡＥＳ界面活性剤を含む洗剤組成物などの組成物であって、当該ＡＥＳ界面活性剤の分子の少なくとも特定の部分が全炭素数１４のアルキル部分を含む組成物。このような組成物に関する使用及び方法。【特許請求の範囲】
【請求項１】
組成物の５重量％〜５０重量％の、アルキルエトキシル化サルフェート（ＡＥＳ）界面活性剤及び少なくとも第２の界面活性剤を含む界面活性剤系であって、前記ＡＥＳの分子の少なくとも５０質量％が１４個の炭素を有するアルキル部分を含有する、界面活性剤系と、洗濯補助剤と、を含む、洗剤組成物。
【請求項２】
前記ＡＥＳの分子の少なくとも６０％、又は少なくとも６５％、又は少なくとも７０％、又は少なくとも８０％、又は少なくとも９０％、又は少なくとも９５％が、１４個の炭素を有するアルキル部分を含有する、請求項１に記載の洗剤組成物。
【請求項３】
前記ＡＥＳが、０．５〜８．０の平均エトキシル化度を特徴とする、請求項１又は２に記載の洗剤組成物。
【請求項４】
前記ＡＥＳの分子の少なくとも少なくとも６０％が、偶数の炭素原子総数を有するアルキル部分を有する、請求項１〜３のいずれかに記載の洗剤組成物。
【請求項５】
前記アルキル部分が、非石油源、好ましくは天然源に由来し、より好ましくはココヤシ油、パーム核油、又はこれらの混合物に由来する、請求項１〜４のいずれか一項に記載の洗剤組成物。
【請求項６】
前記ＡＥＳの分子の少なくとも５０％が、直鎖アルキル部分であるアルキル部分を有する、請求項１〜５のいずれか一項に記載の洗剤組成物。
【請求項７】
前記ＡＥＳが、前記界面活性剤系の１０重量％〜９９重量％の濃度で前記界面活性剤系中に存在する、請求項１〜６のいずれか一項に記載の洗剤組成物。
【請求項８】
前記第２の界面活性剤が、アルキルベンゼンスルホネート、エトキシル化アルコール非イオン性界面活性剤、アミンオキシド、メチルエステルスルホネート、糖脂質界面活性剤、アルキルポリグルコシド界面活性剤、又はこれらの組み合わせから選択され、好ましくは、前記第２の界面活性剤が、エトキシル化アルコール非イオン性界面活性剤、アミンオキシド、又はこれらの組み合わせである、請求項１〜７のいずれか一項に記載の洗剤組成物。
【請求項９】
前記第２の界面活性剤がアミンオキシドであり、前記ＡＥＳ及び前記アミンオキシドが、３：１〜１０：１の重量比で存在する、請求項１〜８のいずれか一項に記載の洗剤組成物。
【請求項１０】
存在する場合２５％未満の直鎖アルキルベンゼンスルホネートを、前記界面活性剤系が含み、前記ＡＥＳが、０．５〜３．０、又は０．５〜２．０、又は０．５〜１．５の平均エトキシル化度を特徴とする、請求項１〜９のいずれか一項に記載の洗剤組成物。
【請求項１１】
前記第２の界面活性剤が、非石油源に由来する、請求項１〜１０のいずれか一項に記載の洗剤組成物。
【請求項１２】
前記洗剤組成物が、前記組成物の５重量％未満のアミン含有化合物を含むが、ただし、アミンオキシド界面活性剤（存在する場合）はアミン含有化合物の総量に含まれない、請求項１〜１のいずれか一項に記載の洗剤組成物。
【請求項１３】
前記組成物が、５７０ｎｍにおいて５０％超の透過率を有する、請求項１〜１２のいずれか一項に記載の洗剤組成物。
【請求項１４】
前記洗濯補助剤が、構造化剤、ビルダー、布地柔軟剤、ポリマー又はオリゴマー、酵素、酵素安定剤、漂白剤系、増白剤、色調剤、キレート剤、泡抑剤、コンディショニング剤、保湿剤、香料、封入香料、充填剤又は担体、アルカリ性系、ｐＨ制御系、緩衝剤、アルカノールアミン、溶媒、及びこれらの混合物からなる群から選択され、好ましくは、前記洗濯補助剤が、封入香料を含む、請求項１〜１４のいずれか一項に記載の洗剤組成物。
【請求項１５】
布地を処理する方法であって、布地、好ましくは脂汚れを含む布地を提供する工程と、請求項１〜１４のいずれか一項に記載の組成物を前記布地と接触させる工程と、水の存在下で前記布地を撹拌する工程と、を含む、方法。
【発明の詳細な説明】
【技術分野】
【０００１】
本開示は、ＡＥＳ界面活性剤を含む洗剤組成物であって、当該ＡＥＳ界面活性剤の分子の少なくとも一部が１４個の炭素を有するアルキル部分を含む洗剤組成物に関する。本開示はまた、このような組成物に関連する使用及び方法にも関する。
【背景技術】
【０００２】
洗剤製造業者は、自社の洗剤の汚れ除去効果を改善する方法を継続的に探し求めている。特に、ベーコンの脂又はバターに由来するものなどの脂汚れの除去が望まれているが、それは、このような染みが蔓延しているためである。しかしながら、このような染みは通常疎水性であり、一般的な自動洗濯機の水性環境において除去することは特に困難であり得る。
【０００３】
標的の染みに対処するために酵素又はポリマーなどの洗剤補助剤を洗剤組成物に添加してもよいが、このような補助剤によって、追加のコスト及び／又は適合性の問題が生じることがある。
【０００４】
更に、界面活性剤は、依然として洗剤配合者が頻繁に使用する成分である。全く新しい界面活性剤を開発することも可能であるが、コスト、サプライチェーン、及び／又は適合性の理由から、新しい方法で公知の成分に効果を発揮させることが望ましい場合がある。
【０００５】
更に、多くの従来の界面活性剤は石油由来であるが、今日の消費者はより環境を意識する傾向があり、非石油由来及び／又は天然起源の製品を求める場合がある。しかしながら、消費者は、このような製品にも品質性能を要求する。
【発明の概要】
【発明が解決しようとする課題】
【０００６】
改善された性能をもたらす洗剤組成物、特に、公知の及び／又は天然起源の材料を含む洗剤組成物が必要とされている。
【課題を解決するための手段】
【０００７】
本開示は、組成物の約５重量％〜約５０重量％の界面活性剤系であって、アルキルエトキシル化サルフェート（alkyl ethoxylated sulfate、ＡＥＳ）界面活性剤及び少なくとも第２の界面活性剤を含み、当該ＡＥＳの分子の少なくとも５０質量％が、１４個の炭素を有するアルキル部分を含有する、界面活性剤系と、洗濯補助剤と、を含む洗剤組成物に関する。
【０００８】
本開示はまた、組成物の約５重量％〜約５０重量％の、ＡＥＳ界面活性剤から本質的になる界面活性剤系であって、当該ＡＥＳ界面活性剤の分子の約４６質量％〜約８２質量％が、１４個の炭素を有するアルキル部分を含有する、界面活性剤系と、洗濯補助剤と、を含む単一界面活性剤洗剤組成物に関する。
【０００９】
本開示はまた、組成物の約５０重量％〜約９９重量％のアルキルエトキシル化サルフェート（ＡＥＳ）界面活性剤であって、当該ＡＥＳの分子の少なくとも５０質量％が、１４個の炭素を有するアルキル部分を含有する、界面活性剤と、水と、を含む濃縮界面活性剤組成物に関する。
【００１０】
本開示はまた、組成物の少なくとも約２３重量％のアルキルエトキシル化サルフェート（ＡＥＳ）界面活性剤であって、当該ＡＥＳの分子の少なくとも５０質量％が、１４個の炭素を有するアルキル部分を含有する、界面活性剤と、組成物の約１重量％〜約２５重量％の有機溶媒と、水と、から本質的になる界面活性剤組成物に関する。
【００１１】
本開示はまた、布地を処理する方法であって、布地、好ましくは脂汚れを含む布地を提供する工程と、当該布地を本開示に係る組成物と接触させる工程と、水の存在下で当該布地を撹拌する工程と、を含む、方法に関する。
【００１２】
本開示はまた、汚れ、好ましくは脂汚れを除去するための洗浄組成物におけるＣ１４  ＡＥＳの使用、例えば、汚れ、好ましくは脂汚れを除去するための洗浄組成物におけるアルキルエトキシル化サルフェート（ＡＥＳ）界面活性剤の使用であって、当該ＡＥＳの分子の少なくとも５０質量％又は少なくとも６０質量％又は少なくとも７５質量％が全炭素数１４のアルキル部分を含有する、使用に関する。
【発明を実施するための形態】
【００１３】
洗剤製造業者は、通常、洗剤製剤においてアルキルエトキシル化サルフェート（ＡＥＳ）を使用する。ＡＥＳ分子はアルキル部分を含み、大部分のＡＥＳ界面活性剤は、様々な炭素鎖長のアルキル部分を含むＡＥＳ分子を含む。ＡＥＳのアルキル鎖長は、多くの場合、１０個の炭素原子〜１８個の炭素原子の範囲に分布する。
【００１４】
本開示は、１４個の炭素原子を有するアルキル部分を含むアルキルエトキシル化サルフェート（ＡＥＳ）界面活性剤（Ｃ１４  ＡＥＳとしても知られている）を含む洗剤組成物に関する。Ｃ１４  ＡＥＳ自体は公知の材料であるが、驚くべきことに、他の界面活性剤と併用して、特定の割合のＣ１４  ＡＥＳを有する洗剤組成物は、脂汚れの除去を含む優れた洗浄効果をもたらす可能性が高いことが見出された。
【００１５】
理論に束縛されるものではないが、炭素鎖長が長くなると、より短い炭素鎖長と比較して油−水界面における界面張力をより大きく低下させるので、単一の界面活性剤としても、界面活性剤系において他の界面活性剤と併用されても、汚れ、例えば脂汚れの洗浄を改善すると考えられる。
【００１６】
本明細書で使用するとき、特許請求の範囲で使用されるときの「ａ」及び「ａｎ」という冠詞は、特許請求又は記載されているもののうちの１つ以上を意味すると理解される。本明細書で使用するとき、「含む（include）」、「含む（includes）」、及び「含んでいる（including）」という用語は、非限定的であることを意味する。本開示の組成物は、本開示の成分を含み、それらから本質的になり、又はそれらからなることができる。
【００１７】
本明細書では、「実質的に含まない（substantially free of）」又は「実質的に含まない（substantially free from）」という用語が使用され得る。これは、指示される材料が最小限の量であり、組成物の一部を形成するように意図的にその組成物に添加されたものでないこと、又は好ましくは、分析的に検出可能な濃度で存在しないことを意味する。それは、指示される材料が意図的に含まれる他の材料のうちの１つの中に不純物としてのみ存在する、組成物を含むことを意味する。指示される材料は、あったとしても、組成物の１重量％未満、又は０．１重量％未満、又は０．０１重量％未満、又は更には０重量％の濃度で存在してもよい。
【００１８】
本明細書で使用するとき、「布地ケア組成物」という語句は、布地処理用に設計された組成物及び配合物を含む。かかる組成物は、洗濯洗浄組成物及び洗剤、布地柔軟化組成物、布地強化組成物、布地消臭組成物、予洗い用洗剤（laundry prewash）、洗濯前処理剤、洗濯添加剤、スプレー製品、ドライクリーニング剤若しくは組成物、洗濯すすぎ添加剤、洗浄添加剤、すすぎ後布地トリートメント、アイロン助剤、単位用量配合物、遅延送達配合物、多孔性基材若しくは不織布シート上又は中に含有される洗剤、及び本明細書の教示を考慮すると当業者に明白であり得る他の好適な形態を含むが、これらに限定されない。かかる組成物を、洗濯前処理剤、洗濯後処理剤として使用してもよく、あるいは洗濯動作のすすぎ又は洗浄サイクル中に加えてもよい。
【００１９】
別途記載のない限り、成分又は組成物の濃度は全て、当該成分又は組成物の活性部分に関するものであり、かかる成分又は組成物の市販の供給源に存在し得る不純物、例えば、残留溶媒又は副生成物は除外される。
【００２０】
本明細書における全ての温度は、特に断らない限り、摂氏（℃）を単位とする。特に指示がない限り、本明細書における全ての測定は、２０℃及び大気圧下で行う。
【００２１】
本開示の全ての実施形態において、全ての比率（％）は、特に記載のない限り、全組成物の重量に対するものである。特に記載のない限り、全ての比は重量比である。
【００２２】
本明細書の全体を通して記載される全ての最大数値限定は、それよりも小さい全ての数値限定を、かかるより小さい数値限定があたかも本明細書に明確に記載されているかのように含むものと理解すべきである。本明細書の全体を通して記載される全ての最小数値限定は、それよりも高い全ての数値限定を、かかるより高い数値限定があたかも本明細書に明確に記載されているかのように包含する。本明細書の全体を通して与えられる全ての数値範囲は、かかるより広い数値範囲内に含まれるより狭い全ての数値範囲を、かかるより狭い数値範囲があたかも全て本明細書に明示的に記載されているかのように含むことになる。
【００２３】
洗剤組成物
本開示は、洗剤組成物に関する。洗剤組成物は、以下により詳細に論じられる界面活性剤系を含んでいてよい。
【００２４】
洗剤組成物は、例えば、液体、粉末、単相又は多相の単位用量、小袋、錠剤、ジェル、ペースト、バー、又はフレークから選択される形態を含む任意の所望の形態を有していてよい。
【００２５】
洗剤組成物は、ライトデューティー液体洗剤組成物、ヘビーデューティー液体洗剤組成物、硬質面洗浄組成物（手動又は自動食器洗浄組成物など）、洗濯に一般的に使用される洗剤ジェル、洗濯用添加剤、布地強化剤組成物、及びこれらの混合物の群から選択してよい。洗剤組成物は、硬質面洗浄組成物（食器洗浄組成物など）、布地ケア組成物（ヘビーデューティー液体洗剤組成物など）、又はこれらの混合物から選択してよい。
【００２６】
洗剤組成物は、液体洗濯洗剤であってよい。液体洗濯洗剤組成物は、約１〜約２０００センチポアズ（１〜２０００ｍＰａ・ｓ）又は約２００〜約８００センチポアズ（２００〜８００ｍＰａ・ｓ）の粘度を有していてよい。粘度は、ブルックフィールド粘度計、２番スピンドルを使用し、６０ＲＰＭ／ｓで２５℃にて測定して決定することができる。
【００２７】
洗剤組成物は、固体洗濯洗剤組成物であってよく、自由流動粒子状洗濯洗剤組成物（すなわち、顆粒状洗剤製品）であってよい。
【００２８】
洗剤組成物は、単位用量形態であってもよい。単位用量物品は、特定用途のための、物品内に含有される組成物の、単一で使用が容易な用量を提供することを意図している。この単位容量形態は、パウチ又は水溶性シートであってもよい。パウチは、少なくとも１、少なくとも２、又は少なくとも３以上の区画を有してもよい。典型的には、組成物は、区画のうちの少なくとも１つに含まれる。区画は重ねて配置される方向、即ち、これらの区画が共通の壁を共有し、一方が他方の上部に位置するように配置されてよい。少なくとも１つの区画は、別の区画と重なり合っていてもよい。あるいは、区画は並列の方向に、即ち一方が他方に隣接して配置されるように位置してよい。区画は「タイヤ及びリム」構成で配置されてもよい。即ち、第１区画が第２区画の隣に位置付けられるが、第１区画は第２区画を少なくとも部分的に取り囲み、第２区画を完全に包囲はしない。代替的に、一方の区画が、他方の区画内に完全に囲まれていてもよい。
【００２９】
単位用量形態は、区画を形成し、硬質面洗浄組成物（食器洗浄組成物など）又は布地ケア組成物などの洗剤組成物を封入する水溶性フィルムを含んでいてよい。好ましいフィルム材料は、ポリマー材料である。例えば、水溶性フィルムはポリビニルアルコールを含んでもよい。フィルム材料は、当該技術分野において既知であるように、例えば、ポリマー材料のキャスティング、吹込成形、押出成形、又は吹込押出成形により得ることができる。好適なフィルムは、Ｍｏｎｏｓｏｌ（Ｍｅｒｒｉｌｌｖｉｌｌｅ，Ｉｎｄｉａｎａ，ＵＳＡ）によって商標名Ｍ８６３０、Ｍ８９００、Ｍ８７７９、及びＭ８３１０として供給されているもの、並びに対応する溶解度特性及び変形特性のＰＶＯＨフィルムである。
【００３０】
洗剤組成物が液体である場合、界面活性剤組成物は、典型的には水を含む。本組成物は、組成物の約１重量％〜約８０重量％の水を含み得る。組成物が強力液体洗剤組成物である場合、組成物は典型的には、約４０％〜約８０％の水を含む。組成物がコンパクト液体洗剤である場合、組成物は典型的には、約２０％〜約６０％、又は約３０％〜約５０％の水を含む。組成物が単位用量形態、例えば、水溶性フィルムに封入される場合、組成物は典型的には、２０％未満、又は１５％未満、又は１２％未満、又は１０％未満、又は８％未満、又は５％未満の水を含む。組成物は、組成物の約１重量％〜２０重量％、又は約３重量％〜約１５重量％、又は約５重量％〜約１２重量％の水を含んでもよい。
【００３１】
本開示の洗剤組成物は、実質的に透明であってよい。実質的に透明な洗剤は、審美的に美しくあり得る及び／又は消費者に「純粋」若しくは「自然」であるという印象を与え得るが、それは、このような洗剤が、染料、乳白剤、及び／又は性能効果を与えない他の審美的添加剤を実質的に含まないためである。また、このような審美的添加剤を含まないこのような洗剤は、持続可能な又は環境に優しい製品に関心のある消費者にとって魅力的であり得る。本開示の洗剤組成物は、染料、特に審美的染料、及び／又は乳白剤を実質的に含んでいなくてもよい。本開示の洗剤組成物は、染料及び／又は乳白剤の非存在下において、ブランクとして脱イオン水を使用するＢｅｃｋｍａｎ  ＤＵ分光光度計を用いて、標準的な光路長１０ｍｍのキュベットを介して室温で測定した５７０ｎｍの波長において、約５０％超、又は約６０％超、又は約８０％超、又は約９０％超の透過率を特徴とし得る。透過率は、試験方法の章に記載される方法に従って決定される。
【００３２】
洗剤組成物は、少なくとも２つの界面活性剤を含む界面活性剤系を含んでいてよい。洗剤組成物は、単一界面活性剤洗剤組成物であってもよい。界面活性剤に加えて、このような洗剤組成物は、洗濯用及び／又は食器洗浄用補助剤などの補助材料を含んでいてもよい。これら成分については、以下により詳細に論じる。
【００３３】
界面活性剤系
本開示の洗剤組成物は、界面活性剤系を含む。界面活性剤系は、洗剤組成物の意図される最終用途に好適な１つ以上又は２つ以上の洗浄性界面活性剤を含んでいてよい。
【００３４】
洗剤組成物は、当該洗剤組成物の約１重量％〜約８０重量％、約５重量％〜約５０重量％、又は約７重量％〜約４５重量％の界面活性剤系を含んでいてよい。洗剤組成物は、当該洗剤組成物の約５重量〜約２５重量％の界面活性剤系を含んでいてよい。
【００３５】
界面活性剤系は、アルキルエトキシル化サルフェート（ＡＥＳ）界面活性剤及び少なくとも第２の界面活性剤を含んでいてよく、このような界面活性剤系では、当該ＡＥＳの分子の少なくとも５０質量％は、１４個の炭素を有するアルキル部分を含有していてよい。界面活性剤系は、ＡＥＳ界面活性剤から本質的になっていてよく、このような界面活性剤系（すなわち、単一界面活性剤系）では、当該ＡＥＳ界面活性剤分子の約４６質量％、又は約５０質量％、又は約５５質量％、又は約５８質量％から約８２質量％、又は約７０質量％までが、１４個の炭素を有するアルキル部分を含有していてよい。ＡＥＳ及び他の実施形態については、以下により詳細に記載する。
【００３６】
アルキルエトキシル化サルフェート界面活性剤（ＡＥＳ）
本開示の洗剤組成物及び／又は界面活性剤系は、アルキルエトキシル化サルフェート（ＡＥＳ）界面活性剤を含む。特定の割合のＡＥＳ化合物がアルキル鎖中に合計１４個の炭素原子を有するＡＥＳを含む洗剤組成物は、驚くべき効果をもたらすことが見出された。
【００３７】
ＡＥＳ化合物は、アルキル部分を有する。特定のＡＥＳ化合物のアルキル部分は、アルキル鎖長としても知られている、アルキル部分における炭素の総数によって特徴付けることができる。所与の量のＡＥＳ界面活性剤は、特定の割合又は分布の範囲内である鎖長を有する様々なＡＥＳ化合物を含んでいてよい。したがって、所与の量又はサンプルのＡＥＳは、アルキル部分における重量平均炭素数によって特徴付けることができる。
【００３８】
市販のＡＥＳ界面活性剤としては、Ｃ１２〜１５  ＡＥＳとして知られている１２〜１５の重量平均鎖長を有するＡＥＳ、又はＣ１２〜１４  ＡＥＳとして知られている１２〜１４の鎖長を有するＡＥＳが挙げられる。これらのＡＥＳ界面活性剤は、１４個の炭素の鎖長を有する少なくともいくつかのＡＥＳ化合物を含んでいてよいが、典型的には、それに加えて比較的広範かつ多様な分布の他の鎖長を特徴とする。
【００３９】
対照的に、本開示のＡＥＳは、アルキル部分に合計１４個の炭素を有するＡＥＳ化合物を比較的高い割合含む。本開示の目的のために、このようなＡＥＳはＣ１４  ＡＥＳと呼ばれる。例えば、本開示の洗剤組成物及び／又は界面活性剤系は、ＡＥＳ分子の少なくとも５０質量％が１４個の炭素を有するアルキル部分を含有するＡＥＳを含んでいてよい。ＡＥＳ分子の少なくとも６０質量％、又は少なくとも７０質量％、又は少なくとも８０質量％、又は少なくとも９０質量％、又は少なくとも９５質量％が、１４個の炭素を有するアルキル部分を含有していてよい。本明細書で使用するとき、特定の炭素数（例えば、１４）のアルキル部分を有するＡＥＳ分子の百分率は、別途記載のない限り、存在するＡＥＳの総量の質量百分率として与えられる。
【００４０】
ＡＥＳ化合物のアルキル部分は、偶数又は奇数の炭素原子総数を有し得る。ＡＥＳ分子の少なくとも６０質量％、又は７０質量％、又は８０質量％、又は９０質量％、又は９５質量％、又は１００質量％が、偶数の炭素原子総数を有するアルキル部分を有していてよい。
【００４１】
ＡＥＳ化合物は、典型的には、エトキシル化脂肪族アルコールを硫酸化することによって製造される。まず、脂肪族アルコールを提供し、次いで、公知の方法に従ってエトキシル化してよい。したがって、ＡＥＳ化合物、又は当該ＡＥＳ化合物の少なくともアルキル部分は、これらが由来する起源、例えば油又は脂肪族アルコールの点から説明することができる。本開示のＡＥＳ化合物は、非石油源、好ましくは天然源に由来するアルキル部分を含んでいてよい。本開示のＡＥＳは、天然由来のアルキル部分を含むＡＥＳと、合成由来（例えば、石油由来）のＡＥＳのアルキル部分を含むＡＥＳとの混合物を含んでいてよく、このような混合物は、例えば、１種類のＡＥＳの不足を別の種類によって穴埋め（back-filled）することができるように、サプライチェーンのばらつき、混乱、及び／又は価格変動を考慮するのに有用であり得る。
【００４２】
天然源としては、植物又は動物源、好ましくは植物に由来する油を挙げることができる。植物油の代表的な非限定例としては、キャノーラ油、ナタネ油、ココヤシ油、コーン油、綿実油、オリーブ油、パーム油、ピーナッツ油、サフラワー油、ゴマ油、大豆油、ヒマワリ油、アマニ油、パーム核油、キリ油、ジャトロファ油、カラシ油、グンバイナズナ油、椿油、ヒマシ油、又はこれらの混合物が挙げられる。好適な原料油としては、典型的には、好適なメタセシス触媒の存在下でメタセシス反応から形成されるメタセシス化油を挙げることができる。アルキル部分は、ココヤシ油、パーム核油、又はこれらの混合物、好ましくはココヤシ油、パーム核油、又はこれらの混合物に由来していてよい。このような起源は、化石燃料に依存しないので、環境及び／又は持続可能性の理由から望ましい場合がある。更に、天然源由来のＡＥＳ化合物のアルキル部分は、典型的には、偶数個の炭素原子を含有する。
【００４３】
本開示のＡＥＳは、フィッシャー・トロプシュ法から得られたものでなくてもよい。本開示のＡＥＳは、周知のシェル改変オキソ法から得られたものでなくてもよい。本開示のＡＥＳは、チーグラー法から得られたＡＥＳを含んでいてよい。
【００４４】
本開示のＡＥＳ化合物は、直鎖、分枝状、又はこれらの混合物であるアルキル部分を含有していてよい（すなわち、一部のＡＥＳ分子は直鎖アルキル部分を有するが、その他は分枝状アルキル部分を有する）。ＡＥＳ化合物の直鎖アルキル部分が好ましい場合がある。ＡＥＳ界面活性剤の少なくとも約５０重量％、又は少なくとも約７５重量％、又は少なくとも約９０重量％、又は少なくとも約９５重量％、又は約１００重量％のＡＥＳ分子が、直鎖アルキル部分であるアルキル部分を有する。
【００４５】
また、ＡＥＳ化合物は、そのエトキシル化度によって特徴付けることもできる。ＡＥＳ化合物の集団において、ＡＥＳ分子は様々なエトキシル化度を有し得る。したがって、所与の量又はサンプルのＡＥＳは、重量平均エトキシル化度によって特徴付けることができる。本開示のＡＥＳは、約０．５〜約８．０、又は約０．８〜約３．０、又は約１．０〜約２．５、又は約１．０〜約２．０の重量平均エトキシル化度によって特徴付けることができる。界面活性剤系中の直鎖アルキルベンゼンスルホネート界面活性剤の量が少ないか又は存在しない場合、界面活性剤系は、比較的低いエトキシル化度を有するＡＥＳを含むことが好ましい場合があるが、それは、このようなＡＥＳが脂洗浄効果をもたらすことができるためである。
【００４６】
洗剤組成物及び／又は界面活性剤系は、式Ｒ１−（ＯＣＨ２ＣＨ２）ｘ−Ｏ−ＳＯ３ＭのＡＥＳ化合物を含んでいてよい。Ｒ１は、非石油由来のアルキル鎖であってよい。Ｒ１は、直鎖又は分枝状のアルキル鎖であってよい。Ｒ１は、偶数の炭素鎖長からなっていてよい。Ｒ１は、約８〜約２０の炭素鎖であってよい。ＡＥＳの少なくとも約６０重量％、又は少なくとも約７０重量％、又は少なくとも約８０重量％、又は少なくとも約９０重量％、又は少なくとも約９５重量％、又は少なくとも約９８重量％、又は約１００重量％のＡＥＳは、１４個の炭素からなるアルキル鎖、好ましくは非石油由来のアルキル鎖であるＲ１を含んでいてよく、当該アルキル鎖は直鎖又は分枝鎖である。また、ｘの値は、約０．５〜約８、又は約０．８〜約３．０、約１．０〜約２．５、又は約１．０〜約２．０であってよい。Ｍは、アルカリ金属カチオン、好ましくは、ナトリウムカチオン、又はアンモニウムカチオンであってよい。アルキル鎖は、上記の植物源などの天然源に由来していてよい。
【００４７】
ＡＥＳは、界面活性剤系の約１０重量％〜約１００重量％、又は約１０重量％〜約９９重量％、又は約２５重量％〜約１００重量％、又は約２５重量％〜約９９重量％、又は約５０重量％〜約８０重量％の濃度で界面活性剤系中に存在していてよい。ＡＥＳは、洗剤組成物の約１重量％〜約５０重量％、又は約５重量％〜約４０重量％、又は約１０重量％〜約３０重量％、又は約１５重量％〜約２５重量％の濃度で洗剤組成物中に存在していてよい。
【００４８】
第２の界面活性剤
本開示の洗剤組成物及び／又は界面活性剤系は、ＡＥＳに加えて少なくとも第２の界面活性剤を含んでいてよい。第２の界面活性剤は、非石油源、好ましくは天然源に由来していてよい。
【００４９】
第２の界面活性剤は、界面活性剤系の約０．１重量％〜約９０重量％、又は約０．１重量％〜約７５重量％、又は約２０重量％〜約５０重量％の濃度で界面活性剤系中に存在していてよい。第２の界面活性剤は、洗剤組成物の約１重量％〜約５０重量％、又は約５重量％〜約４０重量％、又は約１０重量％〜約３０重量％、又は約１５重量％〜約２５重量％の濃度で洗剤組成物中に存在していてよい。
【００５０】
第２の界面活性剤は、任意の好適な洗浄性界面活性剤であってよい。第２の界面活性剤は、アニオン性界面活性剤、非イオン性界面活性剤、双性イオン性界面活性剤、両性界面活性剤、カチオン性界面活性剤、又はこれらの混合物、好ましくは、アニオン性、非イオン性、又は双性イオン性界面活性剤から選択してよい。第２の界面活性剤は、アルキルベンゼンスルホネート、エトキシル化アルコール非イオン性界面活性剤、アミンオキシド、メチルエステルスルホネート、糖脂質界面活性剤、アルキルポリグルコシド界面活性剤、又はこれらの組み合わせから選択してよい。第２の界面活性剤は、エトキシル化アルコール非イオン性界面活性剤、アミンオキシド、又はこれらの組み合わせであってよい。第２の界面活性剤は、アミンオキシドであってよい。
【００５１】
上述のように、第２の界面活性剤は、アミンオキシド界面活性剤であってよい。好ましいアミンオキシドは、アルキルジメチルアミンオキシド又はアルキルアミドプロピルジメチルアミンオキシド、より好ましくはアルキルジメチルアミンオキシド、特にココジメチルアミンオキシドである。アミンオキシドは、直鎖又は中鎖分枝状アルキル部分を有し得る。典型的な直鎖アミンオキシドとしては、１つのＲ１  Ｃ８〜１８アルキル部分と、Ｃ１〜３アルキル基及びＣ１〜３ヒドロキシアルキル基からなる群から選択される２つのＲ２及びＲ３部分とを含有する水溶性アミンオキシドが挙げられる。好ましくは、アミンオキシドは、式Ｒ１−Ｎ（Ｒ２）（Ｒ３）Ｏにより特徴付けられ、式中、Ｒ１はＣ８〜１８アルキルであり、Ｒ２及びＲ３は、メチル、エチル、プロピル、イソプロピル、２−ヒドロキシエチル、２−ヒドロキシプロピル及び３−ヒドロキシプロピルからなる群から選択される。直鎖アミンオキシド系界面活性剤としては、特に、直鎖Ｃ１０〜Ｃ１８アルキルジメチルアミンオキシド及び直鎖Ｃ８〜Ｃ１２アルコキシエチルジヒドロキシエチルアミンオキシドを挙げることができる。好ましいアミンオキシドとしては、直鎖Ｃ１０、直鎖Ｃ１０〜Ｃ１２、及び直鎖Ｃ１２〜Ｃ１４アルキルジメチルアミンオキシドが挙げられる。本明細書で使用するとき、「中鎖分枝状（mid-branched）」とは、アミンオキシドが、ｎ１個の炭素原子を有する１つのアルキル部分を有し、このアルキル部分における１つのアルキル分枝がｎ２個の炭素原子を有することを意味する。アルキル分岐は、アルキル部分上で、窒素に結合したα炭素上に位置する。アミンオキシドにおけるこの種の分枝は、当該技術分野において、内部アミンオキシドとしても知られている。ｎ１とｎ２との合計は、１０〜２４個の炭素原子、好ましくは１２〜２０個、より好ましくは１０〜１６個である。１つのアルキル部分と１つのアルキル分枝とが対称となるように、１つのアルキル部分の炭素原子数（ｎ１）は、１つのアルキル分枝の炭素原子数（ｎ２）とおよそ同じでなければならない。本明細書で使用するとき、「対称」とは、本明細書で使用される中鎖分枝状アミンオキシドの少なくとも５０重量％、より好ましくは少なくとも７５重量％〜１００重量％において、｜ｎ１−ｎ２｜が５以下、好ましくは４、最も好ましくは０〜４の炭素原子であることを意味する。
【００５２】
アミンオキシドは、Ｃ１〜３アルキル、Ｃ１〜３ヒドロキシアルキル基、又は平均で約１〜約３個のエチレンオキシド基を含有するポリエチレンオキシド基から独立して選択される２つの部分を更に含んでいてもよい。好ましくは、２つの部分は、Ｃ１〜３アルキルから選択され、より好ましくはいずれもＣ１アルキルとして選択される。
【００５３】
本開示の組成物は、当該組成物の約０．１重量％から約５重量％、又は約３重量％、又は約１重量％までのアミンオキシドを含んでいてよい。本開示のＡＥＳ及びアミンオキシドは、約３：１〜約１０：１、又は約３：１〜約７：１、又は約３：１〜約５：１の重量比で存在していてよい。理論に束縛されるものではないが、ＡＥＳ及びアミンオキシドは相乗的に作用して、優れた洗浄及び／又は他の処理効果をもたらすと考えられる。
【００５４】
第２の界面活性剤は、非イオン性界面活性剤であってよい。非イオン性界面活性剤は、エトキシル化アルコール界面活性剤及び／又は式Ｒ（ＯＣ２Ｈ４）ｎＯＨ（式中、Ｒは、約８個〜約１５個の炭素原子を含有する脂肪族炭化水素ラジカル及びアルキル基が約８個〜約１２個の炭素原子を含有するアルキルフェニルラジカルからなる群から選択され、ｎの平均値は、約５〜約１５である）のエトキシル化アルキルフェノールであってよい。
【００５５】
非イオン性界面活性剤は、エトキシル化アルコールであってよい。例えば、非イオン性界面活性剤は、アルコール（アルキル部分）に平均約１２個〜１４個の炭素原子を有し、アルコール１モル当たり約７〜９モルのエチレンオキシドの平均エトキシル化度を有するエトキシル化アルコールから選択してよい。
【００５６】
非イオン性界面活性剤の他の非限定例としては、Ｃ１２〜Ｃ１８アルキルエトキシレート、例えば、Ｓｈｅｌｌ製のＮＥＯＤＯＬ（登録商標）非イオン性界面活性剤；Ｃ６〜Ｃ１２アルキルフェノールアルコキシレート（ここで、アルコキシレート単位はエチレンオキシ単位とプロピレンオキシ単位の混合物である）；Ｃ１２〜Ｃ１８アルコール、及びエチレンオキシド／プロピレンオキシドブロックポリマーとのＣ６〜Ｃ１２アルキルフェノール縮合物、例えば、ＢＡＳＦ製のＰｌｕｒｏｎｉｃ（登録商標）；米国特許第６，１５０，３２２号において論じられているＣ１４〜Ｃ２２中鎖分枝状アルコール；Ｃ１４〜Ｃ２２中鎖分枝鎖状アルキルアルコキシレート（ＢＡＥｘ、式中、ｘは１〜３０である）；アルキル多糖類、具体的にはアルキルポリグリコシド；ポリヒドロキシ脂肪酸アミド、及びエーテルキャップ化ポリ（オキシアルキル化）アルコール界面活性剤が挙げられる。
【００５７】
第２の界面活性剤は、アルキルベンゼンスルホネート界面活性剤を含んでいてよい。アルキル基は、直鎖（線状）又は分枝鎖の構造において約９〜約１５個の炭素原子を含有していてよい。アルキル基は、直鎖であってもよい。かかる直鎖状アルキルベンゼンスルホネートは、「ＬＡＳ」として既知である。線状アルキルベンゼンスルホネートは、アルキル基中に約１１〜１４個の平均炭素原子数を有してもよい。線状直鎖アルキルベンゼンスルホネートは、アルキル基中約１１．８個の炭素原子の平均炭素原子数を有してもよく、Ｃ１１．８  ＬＡＳと略称される場合がある。アルキルベンゼンスルホネートは、少なくとも部分的に、アルカリ金属塩、好ましくはナトリウム塩、又はアミン塩、例えばモノエタノールアミン塩などのエタノールアミン塩などの塩として存在していてよい。
【００５８】
好適なアルキルベンゼンスルホネート（alkyl benzene sulphonate、ＬＡＳ）は、市販の直鎖アルキルベンゼン（linear alkyl benzene、ＬＡＢ）をスルホン化することによって得ることができる。好適なＬＡＢとしては、Ｓａｓｏｌにより商標名Ｉｓｏｃｈｅｍ（登録商標）で供給されているもの、又はＰｅｔｒｅｓａにより商標名Ｐｅｔｒｅｌａｂ（登録商標）で供給されているものなどの低２−フェニルＬＡＢが挙げられる。他の好適なＬＡＢとしては、Ｓａｓｏｌにより商標名Ｈｙｂｌｅｎｅ（登録商標）で供給されているものなどの高２−フェニルＬＡＢが挙げられる。適切なアニオン性洗浄界面活性剤は、ＤＥＴＡＬ触媒プロセスによって得られるアルキルベンゼンスルホネートであるが、フッ化水素酸（ＨＦ）によって触媒されるものなどの他の合成経路も適切であり得る。
【００５９】
界面活性剤系は、２５％未満、又は１０％未満、又は５％未満、又は１％未満の直鎖アルキルベンゼンスルホネート（ＬＡＳ）を含んでいてよい。ＬＡＳは、典型的には、脂染みなどの疎水性の染みに対する洗浄効果をもたらすので、低濃度のＬＡＳの場合（少しでもあれば）、ＡＥＳは、約０．５〜約３．０、又は約０．５〜約２．０、又は約０．５〜約１．５の平均エトキシル化度を特徴とすることが好ましい場合があるが、それは、より低いＡＥＳエトキシル化度が疎水性の染みの除去効果をもたらすのに役立ち得ると考えられるためである。
【００６０】
界面活性剤系は、カチオン性界面活性剤であってよい界面活性剤を含んでいてよい。カチオン性界面活性剤の非限定的な例としては、四級アンモニウム界面活性剤が挙げられ、これは２６個以下の炭素原子を有していてよく、例としては、アルコキシレート四級アンモニウム（alkoxylate quaternary ammonium（ＡＱＡ））界面活性剤；ジメチルヒドロキシエチル四級アンモニウム界面活性剤；ジメチルヒドロキシエチルラウリルアンモニウムクロリド；ポリアミンカチオン性界面活性剤、カチオン性エステル界面活性剤、及びアミノ界面活性剤、例えば、アミドプロピルジメチルアミン（amido propyldimethyl amine、ＡＰＡ）が挙げられる。本開示の組成物は、カチオン性界面活性剤及び／又はｐＨ７未満若しくはｐＨ６未満でカチオン性になる界面活性剤を実質的に含んでいなくてよいが、それは、カチオン性界面活性剤がアニオン性界面活性剤などの他の成分と負の相互作用をする可能性があるためである。
【００６１】
界面活性剤系は、双性イオン性界面活性剤を含んでいてよい。双性イオン性界面活性剤の例としては、二級及び三級アミン誘導体、複素環式二級及び三級アミン誘導体、又は四級アンモニウム化合物、四級ホスホニウム化合物若しくは三級スルホニウム化合物の誘導体が挙げられる。双性イオン性界面活性剤は、アルキルジメチルベタイン、ココジメチルアミドプロピルベタインを含むベタイン、並びにＣ８〜Ｃ１８（例えば、Ｃ１２〜Ｃ１８）アミンオキシド、並びにＮ−アルキル−Ｎ，Ｎ−ジメチルアミノ−１−プロパンスルホネート（アルキル基は、Ｃ８〜Ｃ１８又はＣ１０〜Ｃ１４であってよい）などのスルホ及びヒドロキシベタインを挙げることができる。
【００６２】
界面活性剤系は、非エトキシル化アルキルサルフェートを含んでいてよい。非アルコキシル化、例えば、非エトキシル化アルキルサルフェート界面活性剤の例としては、高級Ｃ８〜Ｃ２０脂肪族アルコールの硫酸化によって生成されるものが挙げられる。一級アルキルサルフェート界面活性剤は、一般式：ＲＯＳＯ３−Ｍ＋を有してもよく、式中、Ｒは典型的には、直鎖Ｃ８〜Ｃ２０ヒドロカルビル基であり（この基は、直鎖であっても、分枝鎖であってもよい）、Ｍは、水溶化カチオンである。いくつかの例では、Ｒは、Ｃ１０〜Ｃ１５アルキルであり、Ｍは、アルカリ金属である。他の例では、Ｒは、Ｃ１２〜Ｃ１４アルキルであり、Ｍは、ナトリウムである。エトキシル化又は非エトキシル化サルフェート界面活性剤は、アルキル鎖を含むアルコールの硫酸化によって形成することができる。
【００６３】
界面活性剤系は、分枝状界面活性剤を含んでいてよい。好適な分枝状界面活性剤としては、疎水性物質鎖に沿ってランダムに分布しているメチル分枝を含む非スルホン化Ｃ１２／１３アルコール系界面活性剤、例えば、Ｓａｓｏｌから入手可能なＳａｆｏｌ（登録商標）、Ｍａｒｌｉｐａｌ（登録商標）を挙げることができる。更に好適な追加の分枝状アニオン性洗浄性界面活性剤としては、オキソ法から得られる、２−アルキル位で分岐しているアルコールに由来する非スルホン化界面活性剤、例えば、商標名Ｉｓａｌｃｈｅｍ（登録商標）１２３、Ｉｓａｌｃｈｅｍ（登録商標）１２５、Ｉｓａｌｃｈｅｍ（登録商標）１４５、Ｉｓａｌｃｈｅｍ（登録商標）１６７で販売されているものが挙げられる。オキソ法に起因して、分岐は２−アルキル位に位置している。これらの２−アルキル分岐アルコールは、通常長さＣ１１〜Ｃ１４／Ｃ１５の範囲であり、全て２−アルキル位置で分岐した構造異性体を含む。追加の好適な非スルホン化分枝状アニオン性洗浄性界面活性剤としては、イソプレノイド系多分岐洗剤アルコールの界面活性剤誘導体、アンテイソ及びイソ−アルコール由来の分枝状界面活性剤、並びに／又はゲルベアルコール系界面活性剤を挙げることができる。界面活性剤系は、修飾アルキルベンゼンスルホネート（modified alkylbenzene sulfonate、ＭＬＡＳ）などの他の分枝状界面活性剤を含んでいてもよい。
【００６４】
本明細書で有用な他のアニオン性界面活性剤は、以下の水溶性塩である：Ｃ８〜Ｃ２４パラフィンスルホネート、Ｃ８〜Ｃ２４二級アルカンスルホネート、Ｃ８〜Ｃ１８アルキルグリセリルエーテルスルホネート、Ｃ８〜Ｃ１８分枝状アルキルスルホネート、Ｃ１２〜Ｃ２０メチルエステルスルホネート、Ｃ１２〜Ｃ２４オレフィンスルホネート、Ｃ１０〜Ｃ１８アルキルエーテルカルボキシレート、平均アルコキシル化度１〜５を有するＣ１０〜Ｃ１８アルキルエーテルカルボキシレート、Ｃ６〜Ｃ２０スルホスクシネート界面活性剤、脂肪酸基に約６〜２０個の炭素原子及びエステル基に約１〜１０個の炭素原子を含有するα−スルホン化脂肪酸のエステル、アシル基に約２〜９個の炭素原子及びアルカン部分に約９〜約２３個の炭素原子を含有する２−アシルオキシ−アルカン−１−スルホン酸の水溶性塩；アルキル基に約１〜３個の炭素原子及びアルカン部分に約８〜約２０個の炭素原子を含有するβ−アルキルオキシアルカンスルホネート。更なる好適な分岐アニオン性洗浄性界面活性剤としては、イソプレノイド系多分岐洗剤アルコールの界面活性剤誘導体が挙げられる。アルキルベンゼンスルホネートと、上述のパラフィンスルホネート、二級アルカンスルホネート、及びアルキルグリセリルエーテルスルホネートとの混合物も有用であり得る。
【００６５】
他の有用な界面活性剤としては、ラムノリピド及び／又はソホロリピッドなどの糖脂質界面活性剤を挙げることができる。このような界面活性剤は、天然由来（例えば、微生物由来）であり得るので、特に有用であり得る。
【００６６】
洗剤補助剤
界面活性剤組成物は、少なくとも１つの洗剤補助剤を更に含んでいてよい。洗剤補助剤は、組成物の意図される使用に好適な濃度で組成物中に存在していてよい。典型的な使用濃度は、下は蛍光増白剤などの補助剤についての組成物の０．００１重量％から、上はビルダーについての組成物の５０重量％までの範囲である。
【００６７】
少なくとも１つの洗剤補助剤は、脂肪酸及び／又はその塩、酵素、封入有益剤、汚れ放出ポリマー、色調剤、ビルダー、キレート剤、移染阻害剤、分散剤、酵素安定剤、触媒材料、漂白剤、漂白触媒、漂白活性化剤、ポリマー分散剤、汚れ除去／再付着防止剤、ポリマー分散剤、高分子脂洗浄剤、増白剤、抑泡剤、染料、色調剤、香料、構造弾性化剤、布地柔軟剤、担体、充填剤、ヒドロトロープ、溶媒、抗菌剤及び／又は防腐剤、中和剤及び／又はｐＨ調整剤、加工助剤、充填剤、レオロジー調整剤又は構造剤、乳白剤、パールエッセンス剤、顔料、防食及び／又は耐変色剤、並びにこれらの混合物からなる群から選択してよい。少なくとも１つの洗剤補助剤は、構造化剤、ビルダー、布地用柔軟剤、ポリマー又はオリゴマー、酵素、酵素安定剤、漂白系、増白剤、色調剤、キレート剤、抑泡剤、コンディショニング剤、保湿剤、香料、封入香料、充填剤又は担体、アルカリ性系、ｐＨ制御系、緩衝剤、アルカノールアミン、溶媒、及びこれらの混合物からなる群から選択される少なくとも１つの洗剤補助剤であってよい。
【００６８】
少なくとも１つの洗剤補助剤は、外部構造化系、酵素、封入有益剤、汚れ放出ポリマー、色調剤、及びこれらの混合物を含んでいてよい。封入有益剤は、封入香料であってもよく、好ましくは当該封入香料がコアを取り囲むシェルを含み、好ましくは当該シェルがアミン化合物を含まず、好ましくは当該シェルがアクリレートポリマーを含む封入香料であってよい。
【００６９】
本開示の組成物は、溶媒、好ましくは非アミノ官能性有機溶媒などの有機溶媒を含んでいてよい。好適な有機溶媒としては、グリセロール、エチレングリコール、１，３プロパンジオール、１，２プロパンジオール、テトラメチレングリコール、ペンタメチレングリコール、ヘキサメチレングリコール、２，３−ブタンジオール、１，３ブタンジオール、ジエチレングリコール、トリエチレングリコール、ポリエチレングリコール、グリセロールホルマルジプロピレングリコール、ポリプロピレングリコール、ジプロピレングリコールｎ−ブチルエーテル、及びこれらの混合物を挙げることができる。
【００７０】
特に、主に天然又は持続可能な起源に由来する洗剤が望ましい場合、特定の補助剤を制限又は更には排除することが望ましい場合がある。本開示の洗剤組成物は、シリコーン、染料、増白剤、又はこれらの組み合わせを含んでいなくてもよい。本開示の洗剤組成物は、当該組成物の５重量％未満、又は３重量％未満、又は１重量％未満のアミン含有化合物を含んでいてよいが、ただし、アミンオキシド界面活性剤（存在する場合）はアミン含有化合物の総量に含まれない。
【００７１】
濃縮ＡＥＳ界面活性剤組成物
本開示は、更に、濃縮ＡＥＳ界面活性剤組成物に関する。このような濃縮組成物は、運搬費を節約し、担体などのあまり望ましくない及び／又は不活性な材料を取り入れることなく、所望の濃度で製品組成物に組み込むために有用である。
【００７２】
本開示の濃縮ＡＥＳ組成物は、当該組成物の約５０重量％、又は約６０重量％、又は約７５重量％、又は約８０重量％、又は約８５重量％、又は約９０重量％、又は約９５重量％から約９９重量％、又は約９８重量％までのＡＥＳ界面活性剤を含んでいてよく、当該ＡＥＳの分子の少なくとも５０％は、１４個の炭素を有するアルキル部分を含有する。濃縮ＡＥＳ組成物は、水を含んでいてもよい。
【００７３】
濃縮ＡＥＳ界面活性剤の少なくとも一部は、好ましくは水酸化ナトリウムなどの苛性剤で中和されてもよい。濃縮ＡＥＳ界面活性剤の少なくとも一部は、塩形態、好ましくはナトリウム塩形態で存在していてよい。
【００７４】
本開示の濃縮ＡＥＳ界面活性剤組成物は、当該組成物の約１重量％、又は約２重量％から、約２５重量％、又は約２０重量％、約１５重量％、又は約１０重量％、又は約５重量％、又は約２重量％までの追加材料を含んでいてもよい。追加材料は、水、非硫酸化アルコール（アルコキシル化及び／又は非アルコキシル化）、アルカリ金属硫酸塩（好ましくは硫酸ナトリウム）及び／又は他の電解質、非アルコキシル化アルキルサルフェート界面活性剤、有機溶媒、並びにこれらの混合物から選択してよい。これらの材料は、分枝状スルホネート界面活性剤の合成からの加工助剤、副生成物、及び／又は未反応の反応物質であってもよい。更に又はあるいは、これらの材料は、ＡＥＳ界面活性剤の加水分解の生成物であってもよい。濃縮ＡＥＳ界面活性剤組成物は、他の洗剤補助材料を実質的に含んでいなくてもよい。
【００７５】
濃縮ＡＥＳ界面活性剤組成物は、他のアニオン性、非イオン性、両性、カチオン性界面活性剤などの他の界面活性剤、及び／又は双性イオン性界面活性剤を実質的に含んでいなくてもよい。
【００７６】
本開示に係る濃縮ＡＥＳ界面活性剤組成物は、直鎖アルキルベンゼンスルホネート界面活性剤（ＬＡＳ）を含んでいてよい。直鎖アルキルベンゼンスルホネート界面活性剤は、組成物の約０重量％〜約１５重量％、又は約２重量％〜約１５重量％、又は約５重量％〜約１２重量％の濃度で存在することができる。
【００７７】
本開示の濃縮ＡＥＳ界面活性剤組成物は、アルコキシル化ポリエチレンイミン（polyethyleneimine、ＰＥＩ）ポリマーなどのアルコキシル化ポリアルキレンイミンポリマーを含んでいてよい。アルコキシル化ポリアルキレンイミンは、組成物の約０．１重量％〜約５重量％、又は約０．５重量％〜約４．５重量％、好ましくは約０．７５重量％〜約１．５重量％の濃度で組成物中に存在してもよい。アルコキシル化ポリアルキレンイミンポリマー、好ましくはアルコキシル化ＰＥＩは、エトキシレート（ＥＯ）基、プロポキシレート（ＰＯ）基、又はこれらの組み合わせを含んでいてよい。アルコキシル化ポリアルキレンイミンポリマー、好ましくはアルコキシル化ＰＥＩは、エトキシレート（ＥＯ）基を含んでいてよい。アルコキシル化ポリアルキレンイミンポリマー、好ましくはアルコキシル化ＰＥＩは、プロポキシレート（propoxlyate、ＰＯ）基を含んでいなくてよい。アルコキシル化ポリアルキレンイミンポリマー、好ましくはアルコキシル化ＰＥＩは、平均してアルコキシル化窒素あたり、約１〜５０個のエトキシレート（ＥＯ）基及び約０〜５個のプロポキシレート（ＰＯ）基を含むことができる。アルコキシル化ポリアルキレンイミンは、直鎖状、分枝状、又はこれらの組み合わせ、好ましくは分枝状であってよい。ＰＥＩ６００  ＥＯ２０などの好適なアルコキシル化ポリアルキレンイミンは、ＢＡＳＦ（Ｌｕｄｗｉｇｓｈａｆｅｎ，Ｇｅｒｍａｎｙ）から入手可能である。
【００７８】
本開示は、少なくとも約２３％の、ＡＥＳの分子の少なくとも５０％が１４個の炭素を有するアルキル部分を含有するＡＥＳ界面活性剤と、組成物の約１重量％〜約２５重量％、又は約２重量％〜約１０重量％、又は約３重量％〜約８重量％の有機溶媒と、水と、から本質的になっていてよい界面活性剤組成物に関する。
【００７９】
濃縮ＡＥＳ界面活性剤組成物は、限られた数の成分を有していてよく、これによって、最終製品（又は複数の最終製品）における配合の柔軟性を最大にすることができる。濃縮ＡＥＳ界面活性剤は、組成物中に存在し得る反応副生成物又は未反応の反応物質を含まずに、約５成分以下、又は約４成分以下、又は約３成分以下を有していてよい。
【００８０】
洗剤組成物の製造方法
本開示は、本明細書に記載される界面活性剤系を含む洗剤組成物の製造方法に関する。当該方法は、本明細書に記載される組成物の成分を、記載される割合で組み合わせることを含んでいてよい。
【００８１】
例えば、本開示に係る洗剤組成物を製造するプロセスは、ＡＥＳ分子の少なくとも５０％重量が１４個の炭素原子を有するアルキル部分を有するＡＥＳ界面活性剤を提供することと、任意選択で第２の界面活性剤を提供すること、当該界面活性剤を１つ以上の洗剤補助剤と合わせて洗剤組成物を形成することと、を含んでいてよい。
【００８２】
本開示に係る液体組成物は、従来の方法に従って、例えば、バッチプロセス又は連続ループプロセスで製造してよい。
【００８３】
乾燥（例えば、粉末又は顆粒）組成物は、従来の方法に従って、例えば、本明細書に記載される成分を含むスラリーを噴霧乾燥又はブロー乾燥することによって製造してよい。
【００８４】
本明細書に記載される洗剤組成物を小袋、好ましくは水溶性フィルムで作製された小袋に封入して、布地を処理するために使用することができる単位用量物品を形成することができる。
【００８５】
洗剤組成物の使用方法
本開示は、本明細書に記載される洗剤組成物の使用方法に関する。洗剤組成物は、布地又は硬質面などの表面を処理するために使用することができる。
【００８６】
表面を処理する方法は、表面、好ましくは布地を提供する工程と、当該表面を上記の洗剤組成物と接触させる工程と、を含んでいてよい。表面、好ましくは布地は、脂汚れを含んでいてよい。当該方法は、水の存在下で布地を撹拌することを含んでいてよい。当該方法は、洗浄又は清浄化の操作を実施する工程を更に含んでいてもよい。接触工程の前、間、又は後に水を添加して、洗浄液を形成してもよい。
【００８７】
本開示はまた、本開示に係る組成物を使用して、布地、好ましくは汚れた布地を、例えば機械によって洗浄するプロセスであって、本開示に係る洗剤組成物を、洗浄する布地と接触させる工程と、洗浄又は清浄化の操作を実施する工程と、を含むプロセスに関する。
【００８８】
任意の好適な洗濯機を用いてもよく、例えば、トップローディング又はフロントローディング自動洗濯機を使用できる。当業者は、関連の洗浄作業に好適な洗濯機を認識するであろう。本開示の物品は、布地添加剤、布地柔軟剤、すすぎ補助剤などの他の組成物と組み合わせて使用してもよい。更に、本開示の洗剤組成物は既知の手洗い方法で使用してもよい。
【００８９】
本開示はまた、布地を処理する方法であって、布地を本明細書に記載される洗剤組成物と接触させる工程と、洗浄工程を実施する工程と、次いで、当該布地を布地柔軟化組成物と接触させる工程と、を含む方法を目的とし得る。方法全体、又は少なくとも洗浄工程は、手動で実施してもよく、機械で支援してもよく、又は自動洗濯機で行ってもよい。布地に布地柔軟組成物を接触させる工程は、例えば、自動洗濯機のすすぎサイクル中に、水の存在下において実行され得る。
【００９０】
Ｃ１４  ＡＥＳの使用
本開示は、汚れ、好ましくは脂汚れを除去するための洗浄組成物におけるＣ１４  ＡＥＳの使用に関する。例えば、本開示は、汚れ、好ましくは脂汚れを除去するための洗濯洗浄組成物におけるアルキルエトキシル化サルフェート（ＡＥＳ）界面活性剤の使用であって、当該ＡＥＳの分子の少なくとも５０％、又は少なくとも６０％、又は少なくとも７５％が全炭素数１４のアルキル部分を含有する、使用に関する。
【００９１】
組み合わせ
本開示の具体的に想到される組み合わせを、ここで以下のアルファベットを付した段落に記載する。これらの組み合わせは、事実上例示的なものであり、限定的であることを意図したものではない。
【００９２】
Ａ．組成物の約５重量％〜約５０重量％の、アルキルエトキシル化サルフェート（ＡＥＳ）界面活性剤及び少なくとも第２の界面活性剤を含む界面活性剤系であって、当該ＡＥＳの分子の少なくとも５０％が１４個の炭素を有するアルキル部分を含有する、界面活性剤系と、洗濯補助剤と、を含む、洗剤組成物。
【００９３】
Ｂ．当該ＡＥＳの分子の少なくとも６０％、又は少なくとも７０％、又は少なくとも８０％、又は少なくとも９０％、又は少なくとも９５％が、１４個の炭素を有するアルキル部分を含有する、段落Ａに記載の洗剤。
【００９４】
Ｃ．当該ＡＥＳが、０．５〜８．０、又は０．８〜３．０、又は１．０〜２．５、又は１．０〜２．０の平均エトキシル化度を特徴とする、段落Ａ又はＢに記載の洗剤組成物。
【００９５】
Ｄ．当該ＡＥＳの分子の少なくとも６０％、又は少なくとも７０％、又は少なくとも８０％、又は少なくとも９０％、又は少なくとも９５％、又は少なくとも１００％が、偶数の炭素原子総数を有するアルキル部分を有する、段落Ａ〜Ｃのいずれかに記載の洗剤組成物。
【００９６】
Ｅ．当該アルキル部分が、非石油源、好ましくは天然源に由来する、段落Ａ〜Ｄのいずれかに記載の洗剤組成物。
【００９７】
Ｆ．当該アルキル部分が、ココヤシ油、パーム核油、又はこれらの混合物に由来する、段落Ａ〜Ｅのいずれかに記載の洗剤組成物。
【００９８】
Ｇ．当該ＡＥＳ界面活性剤の少なくとも５０重量％、又は少なくとも７５重量％、又は少なくとも９０重量％、又は少なくとも９５重量％、又は約１００重量％の当該ＡＥＳの分子が、直鎖アルキル部分であるアルキル部分を有する、段落Ａ〜Ｆのいずれかに記載の洗剤組成物。
【００９９】
Ｈ１．当該ＡＥＳ界面活性剤が、フィッシャー・トロプシュ法から得られたものではない、段落Ａ〜Ｇのいずれかに記載の洗剤組成物。
【０１００】
Ｈ２．当該ＡＥＳ界面活性剤が、シェル改変オキソ法から得られたものではない、段落Ａ〜Ｈ１のいずれかに記載の洗剤組成物。
【０１０１】
Ｈ３．当該ＡＥＳ界面活性剤が、チーグラー法から得られたＡＥＳを含む、段落Ａ〜Ｈ２のいずれかに記載の洗剤組成物。
【０１０２】
Ｉ．当該ＡＥＳが、当該界面活性剤系の約１０重量％〜約１００重量％の濃度で当該界面活性剤系中に存在する、段落Ａ〜Ｈのいずれかに記載の洗剤組成物。
【０１０３】
Ｊ．当該ＡＥＳが、当該洗剤組成物の約１重量％〜約５０重量％の濃度で当該洗剤組成物中に存在する、段落Ａ〜Ｉのいずれかに記載の洗剤組成物。
【０１０４】
Ｋ．当該第２の界面活性剤が、アルキルベンゼンスルホネート、エトキシル化アルコール非イオン性界面活性剤、アミンオキシド、メチルエステルスルホネート、糖脂質界面活性剤、アルキルポリグルコシド界面活性剤、又はこれらの組み合わせ、好ましくは直鎖アルキルベンゼンスルホネート、エトキシル化アルコール非イオン性界面活性剤、アミンオキシド、又はこれらの組み合わせ、より好ましくは、エトキシル化アルコール非イオン性界面活性剤、アミンオキシド、又はこれらの組み合わせから選択される、段落Ａ〜Ｊのいずれかに記載の洗剤組成物。
【０１０５】
Ｌ．当該第２の界面活性剤がアミンオキシドであり、例えば、当該ＡＥＳ及び当該アミンオキシドが、約３：１〜約１０：１、又は約３：１〜約７：１、又は約３：１〜約５：１の重量比で存在する、段落Ａ〜Ｋのいずれかに記載の洗剤組成物。
【０１０６】
Ｍ．当該界面活性剤系が、２５％未満、又は１０％未満、又は５％未満、又は１％未満の直鎖アルキルベンゼンスルホネートを含み、好ましくは、当該ＡＥＳが、約０．５〜約２．０又は約０．５〜約１．５の平均エトキシル化度を特徴とする、段落Ａ〜Ｌのいずれかに記載の洗剤組成物。
【０１０７】
Ｎ．当該第２の界面活性剤が、非石油源、好ましくは天然源に由来する、段落Ａ〜Ｍのいずれかに記載の洗剤組成物。
【０１０８】
Ｏ．当該洗剤組成物が、シリコーン、染料、増白剤、又はこれらの組み合わせを含まない、段落Ａ〜Ｎのいずれかに記載の洗剤組成物。
【０１０９】
Ｐ．当該洗剤組成物が、当該組成物の５重量％未満、又は３重量％未満、又は１重量％未満のアミン含有化合物を含むが、ただし、当該アミンオキシド界面活性剤（存在する場合）はアミン含有化合物の総量に含まれない、段落Ａ〜Ｏのいずれかに記載の洗剤組成物。
【０１１０】
Ｑ．当該組成物が、５７０ｎｍにおいて約５０％超の透過率を有する、段落Ａ〜Ｐのいずれかに記載の洗剤組成物。
【０１１１】
Ｒ．当該洗濯補助剤が、構造化剤、ビルダー、布地柔軟剤、ポリマー又はオリゴマー、酵素、酵素安定剤、漂白剤系、増白剤、色調剤、キレート剤、泡抑剤、コンディショニング剤、保湿剤、香料、封入香料、充填剤又は担体、アルカリ性系、ｐＨ制御系、緩衝剤、アルカノールアミン、溶媒、及びこれらの混合物からなる群から選択される、段落Ａ〜Ｑのいずれかに記載の洗剤組成物。
【０１１２】
Ｓ．当該洗濯補助剤が、封入香料を含み、好ましくは当該封入香料がコアを取り囲むシェルを含み、好ましくは当該シェルがアミン化合物を含まず、好ましくは当該シェルがアクリレートポリマーを含む、段落Ａ〜Ｒのいずれかに記載の洗剤組成物。
【０１１３】
Ｔ．布地を処理する方法であって、布地、好ましくは脂汚れを含む布地を提供する工程と、段落Ａ〜Ｔのいずれかに記載の洗剤組成物を当該布地と接触させる工程と、水の存在下で当該布地を撹拌する工程と、を含む、方法。
【０１１４】
Ｕ．当該組成物の約５０重量％〜約９９重量％のアルキルエトキシル化サルフェート（ＡＥＳ）界面活性剤であって、当該ＡＥＳの分子の少なくとも５０％が１４個の炭素を有するアルキル部分を含有する、界面活性剤と、水と、任意選択で有機溶媒と、を含む濃縮界面活性剤組成物。
【０１１５】
Ｖ．当該組成物の少なくとも約２３重量％のアルキルエトキシル化サルフェート（ＡＥＳ）界面活性剤であって、当該ＡＥＳの分子の少なくとも５０％が１４個の炭素を有するアルキル部分を含有する、界面活性剤と、当該組成物の約１重量％〜約２５重量％の有機溶媒と、水と、から本質的になる界面活性剤組成物。
【０１１６】
Ｗ．当該組成物の約５重量％〜約５０重量％の、ＡＥＳ界面活性剤から本質的になる界面活性剤系であって、当該ＡＥＳ界面活性剤の分子の約４６％、又は約５０％、又は約５５％、又は約５８％から約８２％、又は約７０％までが１４個の炭素を有するアルキル部分を含有する、界面活性剤系と、洗濯補助剤と、を含む、単一界面活性剤洗剤組成物。
【０１１７】
Ｘ．汚れ、好ましくは脂汚れを除去するための洗浄組成物におけるアルキルエトキシル化サルフェート（ＡＥＳ）界面活性剤の使用であって、当該ＡＥＳの分子の少なくとも５０％、又は少なくとも６０％、又は少なくとも７５％が全炭素数１４のアルキル部分を含有する、使用。
【０１１８】
試験方法
動的界面張力（ＤＩＦＴ）分析
動的界面張力分析をＫｒｕｓｓ（登録商標）ＤＶＴ３０液滴体積テンシオメータ（Ｋｒｕｓｓ  ＵＳＡ，Ｃｈａｒｌｏｔｔｅ，ＮＣ）で行う。この装置は、水性界面活性剤（界面活性剤）相中で浮上する油滴に関し界面張力を測定するよう構成されている。使用される油は、キャノーラ油（Ｔｈｅ  Ｊ．Ｍ．Ｓｍｕｃｋｅｒ  ＣｏｍｐａｎｙのＣｒｉｓｃｏ純正キャノーラ油）である。テンシオメータに取り付けた再循環水温制御器により、水性洗剤と油相を２２℃（＋／−１℃）にて温度制御する。ある範囲の流速で、内径０．２５４０ｍｍの上昇型キャピラリ（ascending capillary）から油滴を水性界面活性剤相内に分注し、各流速での界面張力を測定することにより、動的界面張力曲線を生成する。対数目盛りにおいてディケードあたり流速を２つ用い（この場合では７段階の流速）、油の分配流速５００ｕＬ／分〜１ｕＬ／分で、データを生成する。１つの流速につき３滴の油滴の界面張力を測定し、平均する。界面張力はｍＮ／ｍ単位で報告する。各流速における油滴の表面寿命も記録し、界面張力（ｙ軸）対油の流速（ｘ軸）、又は界面張力（ｙ軸）対油滴の表面寿命（ｘ軸）のいずれかのプロットを作成することができる。最小界面張力（ｍＮ／ｍ）は、最も遅い流速での最低界面張力であり、より低い数字は、例えば、脂汚れに対する性能の改善を示す。装置の再現性に基づき、０．１ｍＮ／ｍを超える差が、１ｍＮ／ｍ未満の界面張力値に関して有意である。
【０１１９】
染み除去分析
焦げたバター、調理された牛肉、染色されたベーコンの脂、及び草類を含有する白色綿ＣＷ１２０の技術的染み見本は、Ａｃｃｕｒａｔｅ  Ｐｒｏｄｕｃｔ  Ｄｅｖｅｌｏｐｍｅｎｔ（Ｃｉｎｃｉｎｎａｔｉ，ＯＨ，ＵＳＡ）から購入する。７グレイン／ガロン硬度（３：１  Ｃａ：Ｍｇ）、６４Ｌの充填容積、１２分間の主洗浄及び８７°Ｆの洗浄温度のＨｅａｖｙ  Ｄｕｔｙ  Ｃｙｃｌｅを使用して、２．７ｋｇのバラスト及びＷＦＫ（Ｂｒｕｅｇｇｅｎ，Ｇｅｒｍａｎｙ）製の１つのＳＢＬ  ２００４人工汚れ見本を含有する負荷で、従来のＮｏｒｔｈ  Ａｍｅｒｉｃａｎ  Ｔｒａｄｉｔｉｏｎａｌ  Ｔｏｐ  Ｌｏａｄｉｎｇ洗濯機（Ｋｅｎｍｏｒｅ  ６００）において、染みの付いた見本を洗浄する。以下の表に報告されるとおりのｐｐｍが洗浄を通して送達されるように、それぞれの洗剤組成物の各々を約５０ｇ投入する。次に、高綿設定で、布地を４５〜５０分間機械乾燥させる（Ｋｅｎｍｏｒｅ  ８０シリーズ電気式混転乾燥機）。
【０１２０】
画像解析を使用して、各染みを染みの付いていない布地の対照例と比較する。ソフトウエアは得られる画像を標準の色値に変換し、通常使用されるマクベス色保持チャートに基づいてそれらを基準値と比較し、それぞれの染みに色値を割り当てる（染みレベル）。各々の８つの複製物（２つの内部、４つの外部）を準備する。
【０１２１】
見本からの染み除去を次のように測定する。
【０１２２】
【数１】
2020519754.tif 000002
ΔＥｉｎｉｔｉａｌ＝洗浄前の染みレベル
ΔＥｗａｓｈｅｄ＝洗浄後の染みレベル
【０１２３】
各染みについての染み除去指数評点を計算し、下の表に列記する。
【０１２４】
パーセント透過率
パーセント透過率は、Ｂｅｃｋｍａｎ  Ｃｏｕｌｔｅｒ  ＤＵ（登録商標）８００などの紫外可視分光計を用いて測定される。標準の１０ｍｍ光路長キュベットをサンプル測定に使用し、脱イオン水ブランクと比較する。サンプルは、染料及び／又は乳白剤の不存在下、２０℃±２℃の温度で測定される。
【０１２５】
ｐＨ
特に明記しない限り、組成物のｐＨは、２０±２℃における組成物の１０％水性溶液（重量／体積）のｐＨとして定義される。ｐＨを±０．０１ｐＨ単位まで測定することができる任意の計測器が好適である。Ｏｒｉｏｎ  ｍｅｔｅｒｓ（Ｔｈｅｒｍｏ  Ｓｃｉｅｎｔｉｆｉｃ，Ｃｌｉｎｔｉｎｐａｒｋ−Ｋｅｐｐｅｋｏｕｔｅｒ，Ｎｉｎｏｖｅｓｔｅｅｎｗｅｇ  １９８，９３２０  Ｅｒｅｍｂｏｄｅｇｅｍ−Ａａｌｓｔ，Ｂｅｌｇｉｕｍ）又は均等物が、許容可能な計器である。ｐＨ計は、カロメル又は銀／塩化銀基準を有する適切なガラス電極を備えていなければならない。例としては、Ｍｅｔｔｌｅｒ  ＤＢ  １１５が挙げられる。電極は、メーカーが推奨する電解質溶液中で保管する必要がある。
【０１２６】
洗剤の１０％水溶液は、以下の手順に従って調製される。サンプル１０±０．０５グラムを±０．０２グラムまで正確に測定できる天秤で計量する。サンプルは１００ｍＬのメスフラスコへ移されて、精製水（水の導電率が＜５μＳ／ｃｍである限り、脱イオン化された及び／又は蒸留された水が好適である）で容量まで希釈されて、十分に混合される。約５０ｍＬの得られた溶液をビーカーに注ぎ、温度を２０±２℃に調整して、ｐＨをｐＨ計製造業者の標準的な手順に従って測定する。製造業者の指示書は、ｐＨアセンブリを組み立てて較正するために守られなければならない。
【０１２７】
平均アルキル鎖長の決定
界面活性剤又は前駆体アルコールの平均アルキル鎖長は、多くの場合、界面活性剤の供給元によって報告される。当業者であれば、硫酸化又はスルホン化界面活性剤の平均アルキル鎖長が、原料アルコールの観点で決定及び／又は報告される場合もあることを理解するであろう。
【０１２８】
質量基準での鎖長分布しか報告されていない場合、以下の式によって平均アルキル鎖長を計算することもできる。
平均アルキル鎖長＝（ΣＣＬｉ）／（Σ（Ｘｉ／ＣＬｉ））
（式中、Ｘｉは、各鎖長ＣＬｉの質量分率である）。
【０１２９】
鎖長分布が界面活性剤の供給元から入手できない場合、Ａｎａｌｙｓｉｓ  ｏｆ  Ｓｕｒｆａｃｔａｎｔｓ，Ｓｅｃｏｎｄ  Ｅｄｉｔｉｏｎ  Ｔｈｏｍａｓ  Ｓｃｈｍｉｔｔ，ＣＲＣ  Ｐｒｅｓｓ，２００１，ｐｇ．２９に記載されているように、ガスクロマトグラフィーを介して鎖長分布を決定することができる。
【実施例】
【０１３０】
下記の例は、事実上例示的なものであり、制限的であることを意図したものではない。
【０１３１】
以下は、実施例１〜５に列挙される成分の検索表である。
【０１３２】
【表１】
2020519754.tif 000003
【０１３３】
実施例１．他の界面活性剤と組み合わせたＣ１４  ＡＥＳの効果
参照界面活性剤に対する本開示のＣ１４  ＡＥＳ組成物の効果を実証するために、動的油−水界面張力（ＤＩＦＴ）分析を実施する。
【０１３４】
２２℃の７グレイン／ガロン（ｇｐｇ）の硬度（３：１  Ｃａ：Ｍｇ）及びｐＨ８．２〜８．５を有する水中に以下の表に指定される全界面活性剤を含有するサンプルを、以下の表に指定される組成で調製する。上述のように各サンプルを分析する。２２℃での密度設定は、キャノーラ油に関しては０．９１７ｇ／ｍＬ、そして水性界面活性剤相に関しては０．９９８ｇ／ｍＬで設定される。水性界面活性剤相の密度は、希釈溶液であるため、水と同じであると想定される。脱イオン水中１％（ｗｔ／ｗｔ）界面活性剤溶液１．５０ｍＬを１００ｍＬのメスフラスコに加え、これに３．５ｍＬの脱イオン水を加え、次いで、当該メスフラスコに７．３７ｇｐｇの硬度の水溶液（３：１  ＣａＣｌ２：ＭｇＣｌ２溶液）を印まで充填し、よく混合する。この溶液をビーカーに移し、数滴の０．１ＮのＮａＯＨ又は０．１ＮのＨ２ＳＯ４を加えることにより、ｐＨを８．２〜８．５に調整する。この溶液を次にテンシオメータ測定セル内に充填し、分析する。界面活性剤溶液と硬度溶液との混合から分析の開始までの合計時間は５分である。
【０１３５】
表１中、サンプル１〜４は、アミンオキシドと組み合わせたＡＥＳを示す。サンプル５〜１０は、非イオン性界面活性剤と組み合わせたＡＥＳを示す。サンプル１１〜１３は、アミンオキシド及び非イオン性界面活性剤と組み合わせたＡＥＳを示す。サンプル１４〜１９は、ＬＡＳと組み合わせたＡＥＳを示す。
【０１３６】
【表２】
2020519754.tif 000004
＊比較例
【０１３７】
結果は、様々な界面活性剤比にわたって、ＡＯ、ＮＩ  １２〜１４  Ｅ９、ＬＡＳ、又はこれらの組み合わせと組み合わせてＣ１４  Ｅ１Ｓ又はＣ１４  Ｅ２Ｓ  ＡＥＳを含有する界面活性剤製剤が、同じものと組み合わせてＣ１２〜１４  Ｅ１Ｓを含有する界面活性剤製剤よりも低い最小界面張力を有することを示す。
【０１３８】
実施例２．Ｃ１４  ＡＥＳの効果
参照界面活性剤に対する本開示のＣ１４  ＡＥＳ組成物の効果を実証するために、動的油−水界面張力（ＤＩＦＴ）分析を実施する。
【０１３９】
２２℃の３グレイン／ガロン（ｇｐｇ）の硬度（３：１  Ｃａ：Ｍｇ）及びｐＨ８．２〜８．５を有する水中に合計２００ｐｐｍの界面活性剤を含有するサンプルを、以下の表に指定される組成で調製する。上述のように各サンプルを分析する。２２℃での密度設定は、キャノーラ油に関しては０．９１７ｇ／ｍＬ、そして水性界面活性剤相に関しては０．９９８ｇ／ｍＬで設定される。水性界面活性剤相の密度は、希釈溶液であるため、水と同じであると想定される。脱イオン水中１％（ｗｔ／ｗｔ）界面活性剤溶液１．５０ｍＬを１００ｍＬのメスフラスコに加え、これに３．５ｍＬの脱イオン水を加え、次いで、当該メスフラスコに３．１６ｇｐｇの硬度の水溶液（３：１  ＣａＣｌ２：ＭｇＣｌ２溶液）を印まで充填し、よく混合する。この溶液をビーカーに移し、数滴の０．１ＮのＮａＯＨ又は０．１ＮのＨ２ＳＯ４を加えることにより、ｐＨを８．２〜８．５に調整する。この溶液を次にテンシオメータ測定セル内に充填し、分析する。界面活性剤溶液と硬度溶液との混合から分析の開始までの合計時間は５分である。
【０１４０】
【表３】
2020519754.tif 000005
＊比較例
【０１４１】
結果は、単独でもアミンオキシドと組み合わせても、Ｃ１４  Ｅ１Ｓ  ＡＥＳはＣ１２〜１４  Ｅ３Ｓよりも低い最小界面張力を有することを示す。
【０１４２】
実施例３．洗剤製剤におけるＣ１４  ＡＥＳ含量の影響
洗剤原材料を混合して洗剤製剤を作製した。２２℃の７グレイン／ガロン（ｇｐｇ）の硬度（３：１  Ｃａ：Ｍｇ）及びｐＨ８．２〜８．５を有する水中の界面活性剤系の濃度が８３ｐｐｍ  ＡＥＳ、５７ｐｐｍ  ＮＩ  １２〜１４  Ｅ９、及び１４ｐｐｍ  ＡＯになるように、洗剤製剤を投入し、以下の表に指定される組成で調製する。各サンプルは、Ｃ１４含有率が以下の表に指定されるとおり変化するようにＣ１４  Ｅ１Ｓ及びＣ１２〜１４  Ｅ１Ｓの混合物を含有する。
【０１４３】
参照界面活性剤に対する本開示のＣ１４  ＡＥＳ組成物の効果を実証するために、動的油−水界面張力（ＤＩＦＴ）分析を実施する。
【０１４４】
上述のように各サンプルを分析する。２２℃での密度設定は、キャノーラ油に関しては０．９１７ｇ／ｍＬ、そして水性界面活性剤相に関しては０．９９８ｇ／ｍＬで設定される。水性界面活性剤相の密度は、希釈溶液であるため、水と同じであると想定される。脱イオン水中１％（ｗｔ／ｗｔ）界面活性剤溶液１．５０ｍＬを１００ｍＬのメスフラスコに加え、これに３．５ｍＬの脱イオン水を加え、次いで、当該メスフラスコに７．３７ｇｐｇの硬度の水溶液（３：１  ＣａＣｌ２：ＭｇＣｌ２溶液）を印まで充填し、よく混合する。この溶液をビーカーに移し、数滴の０．１ＮのＮａＯＨ又は０．１ＮのＨ２ＳＯ４を加えることにより、ｐＨを８．２〜８．５に調整する。この溶液を次にテンシオメータ測定セル内に充填し、分析する。界面活性剤溶液と硬度溶液との混合から分析の開始までの合計時間は５分である。
【０１４５】
【表４】
2020519754.tif 000006
＊比較例
＊＊８３ｐｐｍ全ＡＥＳ、５７ｐｐｍ  ＮＩ  １２〜１４  Ｅ９、及び１４ｐｐｍ  ＡＯ
【０１４６】
結果は、より高い割合のＣ１４  Ｅ１Ｓ、したがってより高い割合のＣ１４  ＡＥＳを含有する洗剤製剤が、業界で現在使用されており、２６％のＣ１４  ＡＥＳを含有する、実施例１などのより低い割合のＣ１４  ＡＥＳを含有する界面活性剤製剤よりも低い最小界面張力を有することを示した。
【０１４７】
実施例４．染み除去
洗剤原材料を混合して洗剤製剤を作製した。以下の表に報告されるとおりのｐｐｍが洗浄を通して送達されるように、それぞれの洗剤組成物の各々を約５０ｇ投入する。
【０１４８】
各処理の染み除去を上記染み除去方法によって評価し、染み除去指数（Stain Removal Index、ＳＲＩ）を報告した。処理１については絶対ＳＲＩを報告し、一方、処理２及び３については処理１に対するデルタを報告する。
【０１４９】
【表５】
2020519754.tif 000007
＊比較組成物
（ｘ）：比較組成物に対して有意
【０１５０】
結果は、染色されたベーコン脂、焦げたバター、調理牛肉、及び草類に対して、Ｃ１４  Ｅ１Ｓの染み除去効果がＣ１２〜１４  Ｅ１Ｓよりも有意に高いことを示す。結果は、焦げたバター、調理牛肉、及び草類に対して、Ｃ１４  Ｅ１Ｓの染み除去効果がＣ１２〜１４  Ｅ１Ｓよりも有意に高いことを示す。
【０１５１】
実施例５．ＡＥＳリッチな単一界面活性剤系におけるＡＥＳ  Ｃ１４含量の影響
参照界面活性剤に対する本開示のＣ１４  ＡＥＳ組成物の効果を実証するために、動的油−水界面張力（ＤＩＦＴ）分析を実施する。
【０１５２】
２２℃の７グレイン／ガロン（ｇｐｇ）の硬度（３：１  Ｃａ：Ｍｇ）及びｐＨ８．２〜８．５を有する水中に２００ｐｐｍの界面活性剤を含有する界面活性剤製剤を、以下の表に指定される組成で調製する。各サンプルは、Ｃ１４含有量が以下の表に指定されるとおり変化するようにＣ１４  Ｅ１Ｓ及び／又はＣ１２〜１４  Ｅ１Ｓの混合物を含有する。
【０１５３】
上述のように各サンプルを分析する。２２℃での密度設定は、キャノーラ油に関しては０．９１７ｇ／ｍＬ、そして水性界面活性剤相に関しては０．９９８ｇ／ｍＬで設定される。水性界面活性剤相の密度は、希釈溶液であるため、水と同じであると想定される。脱イオン水中１％（ｗｔ／ｗｔ）界面活性剤溶液１．５０ｍＬを１００ｍＬのメスフラスコに加え、これに３．５ｍＬの脱イオン水を加え、次いで、当該メスフラスコに７．３７ｇｐｇの硬度の水溶液（３：１  ＣａＣｌ２：ＭｇＣｌ２溶液）を印まで充填し、よく混合する。この溶液をビーカーに移し、数滴の０．１ＮのＮａＯＨ又は０．１ＮのＨ２ＳＯ４を加えることにより、ｐＨを８．２〜８．５に調整する。この溶液を次にテンシオメータ測定セル内に充填し、分析する。界面活性剤溶液と硬度溶液との混合から分析の開始までの合計時間は５分である。
【０１５４】
【表６】
2020519754.tif 000008
【０１５５】
結果は、単一の界面活性剤として、４６〜８２％  Ｃ１４  ＡＥＳで最小界面張力が達成されることを示す。
【０１５６】
実施例６．ヘビーデューティー液体洗濯洗剤組成物
表６に示す割合で列挙される成分を混合することによって、ヘビーデューティー液体洗濯洗剤組成物を作製する。
【０１５７】
【表７】
2020519754.tif 000009
【０１５８】
実施例７．コンパクト／単位用量組成物
表７に示す割合で列挙される成分を混合することによって、コンパクト又は単位用量洗濯洗剤製剤を作製する。当該製剤をＭ８６３０（以前はＭｏｎｏＳｏｌ  ＬＬＣ）などの水溶性フィルムに封入して、単位用量物品を形成してもよい。このような単位用量物品は、１つ又は複数の区画を含んでいてよい。
【０１５９】
【表８】
2020519754.tif 000010
【０１６０】
全ての酵素濃度は、酵素原材料の％として表される。
【０１６１】
実施例の原材料
・ＡＥＳは、少なくとも５０％のＡＥＳ分子がＣ１４アルキル鎖を有し、エトキシル化度が約０．５〜約３であるアルキルエトキシル化サルフェートである。
・ＬＡＳは、Ｓｔｅｐａｎ（Ｎｏｒｔｈｆｉｅｌｄ，Ｉｌｌｉｎｏｉｓ，ＵＳＡ）又はＨｕｎｔｓｍａｎ  Ｃｏｒｐによって供給されている、平均脂肪族炭素鎖長Ｃ１１〜Ｃ１２を有する直鎖アルキルベンゼンスルホネートである。ＨＬＡＳは、酸形態である。
・ＡＥは、平均エトキシル化度が６．５のＣ１２〜１３、平均エトキシル化度が７のＣ１２〜１４、平均エトキシル化度が７のＣ１４〜１５、又は平均エトキシル化度が９のＣ１２〜１４から選択され、全てＨｕｎｔｓｍａｎ（Ｓａｌｔ  Ｌａｋｅ  Ｃｉｔｙ，Ｕｔａｈ，ＵＳＡ）又はＳｈｅｌｌ  Ｃｈｅｍｉｃａｌｓ（Ｈｏｕｓｔｏｎ，ＴＸ，ＵＳＡ）によって供給される。
・Ｃ１２〜１４ジメチルアミンオキシドは、Ｐｒｏｃｔｅｒ  ＆  Ｇａｍｂｌｅ  Ｃｈｅｍｉｃａｌｓ（Ｃｉｎｃｉｎｎａｔｉ，ＵＳＡ）によって供給される。
・ＰＥＧ−ＰＶＡｃポリマーは、ポリエチレンオキシド骨格鎖及び複数のポリ酢酸ビニル側鎖を有する、ポリ酢酸ビニルグラフト化ポリエチレンオキシドコポリマーである。ポリエチレンオキシド骨格鎖の分子量は、約６０００であり、ポリエチレンオキシドのポリ酢酸ビニルに対する重量比は、約４０〜６０であり、５０のエチレンオキシド単位当たり１個以下のグラフト点である。ＢＡＳＦ（Ｌｕｄｗｉｇｓｈａｆｅｎｍ，Ｇｅｒｍａｎｙ）より販売される。
・エトキシル化ポリエチレンイミンは、−ＮＨ当たり２０個のエトキシレート基を有する、分子量６００ｇ／ｍｏｌのポリエチレンイミンコアである。ＢＡＳＦ（Ｌｕｄｗｉｇｓｈａｆｅｎｍ，Ｇｅｒｍａｎｙ）より販売される。
・双性イオン性エトキシル化四級化硫酸化ヘキサメチレンジアミンは、国際公開第０１／０５８７４号に記載されており、ＢＡＳＦ（Ｌｕｄｗｉｇｓｈａｆｅｎ，Ｇｅｒｍａｎｙ）から入手可能である。
・脂洗浄アルコキシル化ポリアルキレンイミンポリマーは、−ＮＨ当たり２４個のエトキシレート基及び−ＮＨ当たり１６個のプロポキシレート基を有する、分子量６００ｇ／モルのポリエチレンイミンコアである。ＢＡＳＦ（Ｌｕｄｗｉｇｓｈａｆｅｎｍ，Ｇｅｒｍａｎｙ）より販売される。
・リパーゼ（Ｌｉｐｅｘ（登録商標））、セルラーゼ（Ｃｅｌｌｕｃｌｅａｎ（商標））、マンナナーゼ（Ｍａｎｎａｗａｙ（登録商標））、及びキシログルカナーゼ（Ｗｈｉｔｅｚｙｍｅ（登録商標））は、Ｎｏｖｏｚｙｍｅｓ（Ｂａｇｓｖａｅｒｄ，Ｄｅｎｍａｒｋ）によって供給され得る。
・プロテアーゼは、Ｇｅｎｅｎｃｏｒ  Ｉｎｔｅｒｎａｔｉｏｎａｌ（Ｐａｌｏ  Ａｌｔｏ，Ｃａｌｉｆｏｒｎｉａ，ＵＳＡ）（例えば、Ｐｕｒａｆｅｃｔ  Ｐｒｉｍｅ（登録商標））、又はＮｏｖｏｚｙｍｅｓ（Ｂａｇｓｖａｅｒｄ，Ｄｅｎｍａｒｋ）（例えば、Ｌｉｑｕａｎａｓｅ（登録商標）、Ｃｏｒｏｎａｓｅ（登録商標））によって供給され得る。
・好適な蛍光増白剤は、例えば、ＢＡＳＦ（Ｌｕｄｗｉｇｓｈａｆｅｎ，Ｇｅｒｍａｎｙ）から入手可能なＴｉｎｏｐａｌ（登録商標）ＴＡＳ、Ｔｉｎｏｐａｌ（登録商標）ＡＭＳ、Ｔｉｎｏｐａｌ（登録商標）ＣＢＳ−Ｘ、スルホン化亜鉛フタロシアニンである。
・キレート剤は、Ｄｏｗ  Ｃｈｅｍｉｃａｌ（Ｍｉｄｌａｎｄ，Ｍｉｃｈｉｇａｎ，ＵＳＡ）により供給されるジエチレンテトラアミン五酢酸（ＤＴＰＡ）、Ｓｏｌｕｔｉａ（Ｓｔ  Ｌｏｕｉｓ，Ｍｉｓｓｏｕｒｉ，ＵＳＡ）により供給されるヒドロキシエタンジホスホネート（ＨＥＤＰ）；Ｏｃｔｅｌ（Ｅｌｌｅｓｍｅｒｅ  Ｐｏｒｔ，ＵＫ）により供給されるエチレンジアミン−Ｎ，Ｎ’−二コハク酸、（Ｓ，Ｓ）異性体（ＥＤＤＳ）、Ｔｈｅｒｍｐｈｏｓにより供給されるジエチレントリアミンペンタメチレンホスホン酸（ＤＴＰＭＰ）、又はＦｕｔｕｒｅ  Ｆｕｅｌｓ  Ｂａｔｅｓｖｉｌｌｅ（Ａｒｋａｎｓａｓ，ＵＳＡ）により供給される１，２−ジヒドロキシベンゼン−３，５−ジスルホン酸から選択される。
・色相剤は、ＢＡＳＦ（Ｌｕｄｗｉｇｓｈａｆｅｎ，Ｇｅｒｍａｎｙ）により供給されるダイレクトバイオレット９又はダイレクトバイオレット９９である。汚れ遊離剤はＲｈｏｄｉａ（Ｐａｒｉｓ，Ｆｒａｎｃｅ）により供給されるＲｅｐｅｌ−ｏ−ｔｅｘ（登録商標）ＰＦである。
・抑泡剤及び抑泡剤疑集体は、Ｄｏｗ  Ｃｏｒｎｉｎｇ（Ｍｉｄｌａｎｄ，Ｍｉｃｈｉｇａｎ，ＵＳＡ）により供給される。
・１，２プロパンジオールは、Ａｒｃｈｅｒ  Ｄａｎｉｅｌｓ  Ｍｉｄｌａｎｄ（Ｃｈｉｃａｇｏ，Ｉｌｌｉｎｏｉｓ，ＵＳＡ）又はＤｏｗ  Ｃｈｅｍｉｃａｌ  Ｍｉｄｌａｎｄ（Ｍｉｃｈｉｇａｎ，ＵＳＡ）により供給される。
・モノエタノールアミン（Monoethanolamine、ＭＥＡ）、トリエタノールアミン（Triethanolamine、ＴＥＡ）、トリイソプロパノールアミン（Triisopropanolamine、ＴＩＰＡ）、及びシクロヘキシルジメタノールは、Ｄｏｗ  Ｃｈｅｍｉｃａｌ  Ｍｉｄｌａｎｄ（Ｍｉｃｈｉｇａｎ，ＵＳＡ）により供給され得る。
・ジエチレングリコールは、ＭＥ−Ｇｌｏｂａｌ（Ｄｕｂａｉ，Ｕｎｉｔｅｄ  Ａｒａｂ  Ｅｍｉｒａｔｅｓ）により供給され得る。
・グリセロールは、Ｐｒｏｃｔｅｒ  ＆  Ｇａｍｂｌｅ  Ｃｈｅｍｉｃａｌｓ（Ｃｉｎｃｉｎｎａｔｉ，ＵＳＡ）により供給される。
・クメンスルホン酸ナトリウムは、Ｓｔｅｐａｎ（Ｎｏｒｔｈｆｉｅｌｄ，Ｉｌｌｉｎｏｉｓ，ＵＳＡ）により供給され得る。
・Ｃ１２〜１８脂肪酸は、Ｗｉｌｍａｒ（Ｓｉｎｇａｐｏｒｅ）により供給され得る。
・クエン酸及びエタノールは、Ｔａｔｅ  ａｎｄ  Ｌｙｌｅ（Ｌｏｎｄｏｎ，Ｅｎｇｌａｎｄ）により供給され得る。
・ホウ砂は、ＵＳ  Ｂｏｒａｘ  Ｖａｌｅｎｃｉａ（Ｃａｌｉｆｏｒｎｉａ，ＵＳＡ）により供給され得る。
・ラウリルトリメチルアンモニウムクロリドは、Ｅｖｏｎｉｋ（Ｅｓｓｅｎ，Ｇｅｒｍａｎｙ）により供給され得る。
・ギ酸ナトリウム及びギ酸カルシウムは、Ｐｅｒｓｔｏｒｐ（Ｔｏｌｅｄｏ，Ｏｈｉｏ，ＵＳＡ）により供給され得る。
【０１６２】
本明細書にて開示された寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」と開示された寸法は、「約４０ｍｍ」を意味するものとする。
【０１６３】
相互参照される又は関連する全ての特許又は特許出願、及び本願が優先権又はその利益を主張する任意の特許出願又は特許を含む、本願に引用される全ての文書は、除外又は限定することを明言しない限りにおいて、参照によりその全容が本明細書に援用される。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような発明全てを教示、示唆又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【０１６４】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【国際調査報告】
2020519754.tif 000011
2020519754.tif 000012
2020519754.tif 000013